(57)【特許請求の範囲】
【請求項１】
電線の切り放し端を収容する樹脂製の端末収容部材を、モールド成形により前記切り放し端に一体形成した電線端末処理構造であって、
前記端末収容部材が、
前記切り放し端の導体露出面を覆って導体が外部の機材等に触れることを防止する電線保持部と、
前記電線保持部の一側に一体形成されて、前記電線と一緒に配索される外部線条体を保持する線条体保持部と、
を備え、
前記電線保持部は、前記電線の前記切り放し端を、複数の曲げ部の連続によりジグザグ状に屈曲させた状態に保持していることを特徴とする電線端末処理構造。
【請求項２】
前記外部線条体は、前記電線と一緒に敷設される第２の電線であり、
前記線条体保持部は、前記切り放し端を有する電線と略平行に前記第２の電線が挿通する筒状構造に形成されることを特徴とする請求項１に記載の電線端末処理構造。
【発明の詳細な説明】
【技術分野】
【０００１】
本発明は、電線の切り放し端の絶縁と、前記切り放し端の接触による周囲の機材等の汚損防止とを実現する電線端末処理構造に関する。
【背景技術】
【０００２】
電線の切り放し端の絶縁と、前記切り放し端の接触による周囲の機材等の汚損防止とを実現する電線端末処理構造として、従来より、電線の切り放し端をテープ巻きで覆う構造が知られている。また、下記特許文献１には、上記電線端末処理構造として、電線の切り放し端に、専用の筒状のゴム栓を被嵌装着する電線端末処理構造が開示されている。
【先行技術文献】
【特許文献】
【０００３】
【特許文献１】特開２００６−８７１５６号公報
【発明の概要】
【発明が解決しようとする課題】
【０００４】
ところが、テープ巻きによる電線端末処理構造は、テープの巻き付け状態のばらつきによって、絶縁性能や、周囲の機材等に対する汚損防止性能などに、ばらつきが生じ易いという問題があった。
【０００５】
また、特許文献１の電線端末処理構造の場合は、ゴム栓の脱落を防止するために、テープ巻きによる固定を併用することが望ましく、部品の増加や工程数の増加によってコスト高になる虞があった。
【０００６】
そこで、本発明の目的は、上記課題を解消することに係り、電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきが生じ難い電線端末処理構造を提供することにある。
【課題を解決するための手段】
【０００７】
本発明の前述した目的は、下記の構成により達成される。
（１）  電線の切り放し端を収容する樹脂製の端末収容部材を、モールド成形により前記切り放し端に一体形成した電線端末処理構造であって、
前記端末収容部材が、
前記切り放し端の導体露出面を覆って導体が外部の機材等に触れることを防止する電線保持部と、
前記電線保持部の一側に一体形成されて、前記電線と一緒に配索される外部線条体を保持する線条体保持部と、
を備え、
前記電線保持部は、前記電線の前記切り放し端を、複数の曲げ部の連続によりジグザグ状に屈曲させた状態に保持していることを特徴とする電線端末処理構造。
【０００８】
（２）  前記外部線条体は、前記電線と一緒に敷設される第２の電線であり、
前記線条体保持部は、前記切り放し端を有する電線と略平行に前記第２の電線が挿通する筒状構造に形成されることを特徴とする上記（１）に記載の電線端末処理構造。
【０００９】
上記（１）の構成によれば、電線の切り放し端に一体成形される樹脂製の端末収容部材の電線保持部が、切り放し端の導体露出面を覆って電線の導体が外部の機材等に触れることを防止する。そのため、端末収容部材に絶縁性の樹脂材料を使用することで、切り放し端の絶縁性を確保することができる。また、電線保持部は、電線の導体が直接外部の機材等に接触することを防止するため、電線導体の接触による外部の機材等の汚損を防止することもできる。
【００１０】
また、上記（１）の構成によれば、電線保持部の一側に一体形成された線条体保持部が、前記電線と一緒に配索される外部線条体を保持する。従って、電線保持部は、前記電線と一緒に配索される外部線条体に、線条体保持部を介して固定される。従って、テープ巻き等で固定せずとも、電線保持部を電線と一緒に配索される外部線条体に固定することができ、電線保持部による切り放し端の保持状体を安定させることができる。そして、電線保持部と線条体保持部とを有した端末収容部材は、モールド成形によって電線の切り放し端に一体形成するため、切り放し端への端末収容部材の装備も、簡単で且つ少ない工程で実現することができる。
【００１１】
従って、電線の切り放し端の絶縁と、前記切り放し端の接触による周囲の機材等の汚損防止とを、少ない部品及び少ない工程で実現することができる。また、端末収容部材はモールド成形により電線の切り放し端に一体形成されるため、寸法や品質が安定し、切り放し端の絶縁性能や周囲の機材等に対する汚損防止性能の点で性能にばらつきが生じ難い。
【００１２】
上記（２）の構成によれば、切り放し端を有する電線が第２の電線と共に同一のワイヤハーネスに組み込まれる場合、切り放し端を電線保持部で保持させると共に、第２の電線を線条体保持部に保持させることで、切り放し端の導体がワイヤハーネスに組み込まれる他の電線等と干渉することを防止すると同時に、切り放し端の導体の絶縁を実現することができる。また、電線の切り放し端が端末収容部材を介して第２の電線に固定されるため、ワイヤハーネスの敷設時に、電線の切り放し端がワイヤハーネスの束からばらけて、ワイヤハーネスの敷設経路の機材等に引っ掛かることを防止することができ、ワイヤハーネスの敷設作業性を向上させることができる。
【発明の効果】
【００１３】
本発明による電線端末処理構造によれば、電線の切り放し端の絶縁と、前記切り放し端の接触による周囲の機材等の汚損防止とを、少ない部品及び少ない工程で実現することができ、しかも、切り放し端の絶縁性能や周囲の機材等に対する汚損防止性能の点で性能にばらつきが生じ難い。
【００１４】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は本発明に係る電線端末処理構造の一実施形態の縦断面図である。
【図２】図２は図１に示した電線の説明図である。
【図３】図３は本発明に係る電線端末処理構造の他の実施形態の縦断面図である。
【発明を実施するための形態】
【００１６】
以下、本発明に係る電線端末処理構造の好適な実施形態について、図面を参照して詳細に説明する。
【００１７】
［一実施形態］
図１及び図２は本発明に係る電線端末処理構造の説明図で、図は本発明の一実施形態の電線端末処理構造の縦断面図、図２は図１に示した電線の説明図である。
【００１８】
この一実施形態の電線端末処理構造は、ワイヤハーネスに組み込まれる１本の電線２０の切り放し端２１を収容する樹脂製の端末収容部材３０を、モールド成形により切り放し端２１に一体形成したものである。
【００１９】
電線２０は、導体の周囲を絶縁被覆で覆った被覆電線である。そして、切り放し端２１は、電線２０の端部を切断しただけの状態で、該切り放し端２１には、導体の切断面が露出している。
【００２０】
本実施形態の場合、切り放し端２１を有した電線２０は、該電線２０と平行に並ぶ外部線条体２５と一緒に、所定の敷設経路に敷設される。外部線条体２５は、電線２０と一緒に、端末収容部材３０により保持されている。本実施形態の場合、外部線条体２５は、電線２０と一緒にワイヤハーネスに組み込まれる第２の電線である。
【００２１】
端末収容部材３０は、絶縁性樹脂材料によるモールド成形品で、電線保持部３１と、この電線保持部３１の一側に一体形成された線条体保持部３２と、を備えている。
【００２２】
電線保持部３１は、切り放し端２１の導体露出面及び切り放し端２１の周囲を覆って電線２０の導体が外部の機材等に触れることを防止する。
【００２３】
線条体保持部３２は、電線２０と一緒に配索される外部線条体２５を保持する部位である。線条体保持部３２は、外部線条体２５が挿通する筒状構造で、外部線条体２５が電線２０とほぼ並行に延在するように、外部線条体２５を保持している。
【００２４】
以上に説明した一実施形態の電線端末処理構造では、電線２０の切り放し端２１に一体成形される樹脂製の端末収容部材３０の電線保持部３１が、切り放し端２１の導体露出面を覆って電線２０の導体が外部の機材等に触れることを防止する。そのため、端末収容部材３０に絶縁性の樹脂材料を使用することで、切り放し端２１の絶縁性を確保することができる。
【００２５】
また、電線保持部３１は、電線２０の導体が直接外部の機材等に接触することを防止するため、電線２０導体の接触による外部の機材等の汚損を防止することもできる。
【００２６】
また、以上に説明した一実施形態の電線端末処理構造では、電線保持部３１の一側に一体形成された線条体保持部３２が、電線２０と一緒に配索される外部線条体２５を保持する。従って、電線保持部３１は、電線２０と一緒に配索される外部線条体２５に、線条体保持部３２を介して固定される。
【００２７】
従って、テープ巻き等で固定せずとも、電線保持部３１を電線２０と一緒に配索される外部線条体２５に固定することができ、電線保持部３１による切り放し端２１の保持状体を安定させることができる。そして、電線保持部３１と線条体保持部３２とを有した端末収容部材３０は、モールド成形によって電線２０の切り放し端２１に一体形成するため、切り放し端２１への端末収容部材３０の装備も、簡単で且つ少ない工程で実現することができる。
【００２８】
従って、電線２０の切り放し端２１の絶縁と、切り放し端２１の接触による周囲の機材等の汚損防止とを、少ない部品及び少ない工程で実現することができる。また、端末収容部材３０はモールド成形により電線２０の切り放し端２１に一体形成されるため、寸法や品質が安定し、切り放し端２１の絶縁性能や周囲の機材等に対する汚損防止性能の点で性能にばらつきが生じ難い。
【００２９】
また、以上に説明した一実施形態の電線端末処理構造では、切り放し端２１を有する電線２０が第２の電線である外部線条体２５と共に同一のワイヤハーネスに組み込まれる場合、切り放し端２１を電線保持部３１で保持させると共に、第２の電線（外部線条体２５）を線条体保持部３２に保持させることで、切り放し端２１の導体がワイヤハーネスに組み込まれる他の電線（外部線条体２５）等と干渉することを防止すると同時に、切り放し端２１の導体の絶縁を実現することができる。また、電線２０の切り放し端２１が端末収容部材３０を介して第２の電線（外部線条体２５）に固定されるため、ワイヤハーネスの敷設時に、電線２０の切り放し端２１がワイヤハーネスの束からばらけて、ワイヤハーネスの敷設経路の機材等に引っ掛かることを防止することができ、ワイヤハーネスの敷設作業性を向上させることができる。
【００３０】
［他の実施形態］
図３は本発明に係る電線端末処理構造の他の実施形態の縦断面図である。
【００３１】
この実施形態の場合、電線２０の切り放し端２１にモールド成形される端末収容部材３０Ａは、切り放し端２１を収容保持する電線保持部３１Ａと、この電線保持部３１Ａの一側に一体形成されて外部線条体２５を保持する線条体保持部３２と、を備えている。
【００３２】
そして、電線保持部３１Ａは、電線２０の切り放し端２１を、複数の曲げ部Ｍ１，Ｍ２，Ｍ３の連続によりジグザグ形状に折曲させた状態に保持している。ジグザグ形状を形成するそれぞれの曲げ部Ｍ１，Ｍ２，Ｍ３は、モールド成形処理を開始する前に、プレス成形等で電線２０に形成しておき、ジグザグ形状に成形された切り放し端２１をモールド成形用の金型に入れてモールド成形を実施することで、電線２０をジグザグ形状に折曲した状態に保持した電線保持部３１Ａを得る。
【００３３】
図３に示した実施形態では、電線保持部３１Ａと切り放し端２１との結合強度を高めることができ、切り放し端２１が電線保持部３１Ａから抜け落ちることを防止することができる。
【００３４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３５】
例えば、切り放し端２１と電線保持部３１Ａとの結合強度を向上させる手段は、切り放し端２１をジグザグ形状に折曲させる方法に限らない。電線２０の外被の表面を、プライマー処理などで、粗面化することで、切り放し端２１と電線保持部３１Ａとの結合強度を向上させるようにしてもよい。
も有効である。
【００３６】
また、端末収容部材の線条体保持部が保持する外部線条体は、電線に限らない。例えば、ワイヤハーネスにテンションメンバーとして組み込まれるスチールワイヤを、線条体保持部が保持する外部線条体に設定することも可能である。
【００３７】
また、外部線条体が保持する線条体は、一本の線条体に限らない。例えば、切り放し端２１を有した電線２０と一緒に配索される複数本の電線束を、一括して線条体保持部に保持させることも可能である。
【００３８】
ここで、上述した本発明に係る電線端末処理構造の実施形態の特徴をそれぞれ以下［１］〜［２］に簡潔に纏めて列記する。
【００３９】
［１］  電線（２０）の切り放し端（２１）を収容する樹脂製の端末収容部材（３０）を、モールド成形により前記切り放し端（２１）に一体形成した電線端末処理構造であって、
前記端末収容部材（３０）が、
前記切り放し端（２１）の導体露出面を覆って導体が外部の機材等に触れることを防止する電線保持部（３１）と、
前記電線保持部（３１）の一側に一体形成されて、前記電線（２０）と一緒に配索される外部線条体（２５）を保持する線条体保持部（３２）と、
を備えたことを特徴とする電線端末処理構造。
【００４０】
［２］  前記外部線条体（２５）は、前記電線（２０）と一緒に敷設される第２の電線であり、
前記線条体保持部（３２）は、前記切り放し端（２１）を有する電線（２０）と略平行に前記第２の電線が挿通する筒状構造に形成されることを特徴とする上記［１］に記載の電線端末処理構造。
【符号の説明】
【００４１】
２０  電線
２１  切り放し端
２５  外部線条体（第２の電線）
３０  端末収容部材
３１  電線保持部
３２  線条体保持部
【図１】
0006383199.tif 000002
【図２】
0006383199.tif 000003
【図３】
0006383199.tif 000004